(57)【要約】【課題】内容物注出中にキャップを手で持ったまま或いはどこかに置いたりする必要がなく、キャップを落としたり或いは紛失したりすることが有効に防止されたスパウトを提供することである。【解決手段】中央に開口を有する頂板部及び該開口を取り囲むように頂板部下面から垂下するスカート部から成り、該スカート部外面において包装材に溶着固定される溶着部、及び該溶着部の開口を取り囲むように頂板部上面に形成されて成る注出部から成る本体と、該注出部に固定されるキャップから成るスパウトであって、前記スパウト本体に、取り外されたキャップを保持し得る保持部が形成されていることを特徴とするスパウト。【選択図】図４
2007204124.tif 000002
【特許請求の範囲】
【請求項１】
中央に開口を有する頂板部及び該開口を取り囲むように頂板部下面から垂下するスカート部から成り、該スカート部外面において包装材に溶着固定される溶着部、及び該溶着部の開口を取り囲むように頂板部上面に形成されて成る注出部から成る本体と、該注出部に固定されるキャップから成るスパウトであって、
前記スパウト本体に、取り外されたキャップを保持し得る保持部が形成されていることを特徴とするスパウト。
【請求項２】
前記注出部にはキャップが固定される位置よりも下方にフランジ部が形成されており、前記保持部が、フランジ部及び／又は溶着部の頂板部に形成された切り欠きから成る請求項１記載のスパウト。
【請求項３】
前記キャップが、螺子係合により注出部に固定されるものであると共にタンパーエビデントバンドを有するものである請求項１乃至３の何れかに記載のスパウト。
【請求項４】
前記タンパーエビデントバンド上部とキャップのスカート部下部がストラップでつながっている請求項４記載のスパウト。
【発明の詳細な説明】
【技術分野】
【０００１】
本発明は、パウチ状の包装体等に溶着して使用するスパウトに関するものであり、より詳細には、スパウトから取り外したキャップを手で持っている必要がなく、誤って落として汚したり、或いは紛失したりすることが防止されたスパウトに関する。
【背景技術】
【０００２】
パウチ状の包装体等に溶着して、包装体内の内容物を外部に注出するためのスパウトは、一般に注出部に直接口をつけて内容物を飲んだり、或いは調味料のように少量の内容物を取り出すものであるため、注出部の径が小さく、適用されるキャップも小さいため、スパウトから取り外されたキャップを誤って落として汚してしまったり、或いは紛失してリシールすることができない等の問題を生じる場合があった。
【０００３】
このような問題を解決するために、取り外されたキャップが包装体から完全に分離することがないキャップが提案されている。
例えば、上方から順にキャップ本体と連結帯と封緘リングとが連なりボトルの口頸部に螺合させて装着するキャップであって、前記キャップの下方の一側面に、前記キャップ本体の下端縁部位置から前記封緘リングの上端縁部位置にわたる縦長の切欠き部を設け、該切欠き部の上方の前記キャップ本体と前記連結帯との周方向の区分線位置に、前記切欠き部の前記キャップの螺脱方向側の隣接位置に接続部を設け、該接続部から前記切欠き部の前記キャップの螺着方向側に至る切断可能なスコアラインを設け、前記切欠き部の下方の前記連結帯と前記封緘リングとの周方向の区分線位置に、前記切欠き部の前記キャップの螺着方向側の隣接位置に接続部を設け、該接続部から前記切欠き部の前記キャップの螺脱方向側に至る切断可能なスコアラインを設け、かつ前記封緘リングの内周面に、前記キャップを螺脱するときに前記封緘リングをボトルの口頸部に固着させる固定部を設けたことを特徴とする封緘リング付キャップが提案されている（特許文献１）。
【０００４】
【特許文献１】特開２００４−３０７００６号公報
【発明の開示】
【発明が解決しようとする課題】
【０００５】
しかしながら、上記キャップのように、連結帯（ストラップ）がキャップに形成されたスコアラインや橋絡部の破断によって形成されるような態様においては、キャップ本体と連結帯の間及び連結帯と封緘リング（タンパーエビデントバンド）の間の両方のスコアラインや橋絡部を完全に破断する必要があるが、この両方のスコアライン等を確実に破断することは困難である。
またスコアライン等を破断でき、ストラップを形成できたとしても、特にスパウトのよう直接口を付けて内容物を飲むとき等に、破断されたスコアラインの切断面や橋絡部が口に当たり、口当たりが悪いという印象を与えてしまうという問題や、或いはストラップにより連結されたキャップが邪魔になってしまうという問題もある。
【０００６】
従って本発明の目的は、上記のようなストラップがなくとも、内容物注出中にキャップを手で持ったまま或いはどこかに置いたりする必要がなく、キャップを落としたり或いは紛失したりすることが有効に防止されたスパウトを提供することである。
また本発明の他の目的は、ストラップ付のキャップにおいても、内容物を飲む際にキャップが邪魔になることがないスパウトを提供することである。
【課題を解決するための手段】
【０００７】
本発明によれば、中央に開口を有する頂板部及び該開口を取り囲むように頂板部下面から垂下するスカート部から成り、該スカート部外面において包装材に溶着固定される溶着部、及び該溶着部の開口を取り囲むように頂板部上面に形成されて成る注出部から成る本体と、該注出部に固定されるキャップから成るスパウトであって、  前記スパウト本体に、取り外されたキャップを保持し得る保持部が形成されていることを特徴とするスパウトが提供される。
【０００８】
本発明のスパウトによれば、
１．注出部にはキャップが固定される位置よりも下方にフランジ部が形成されており、前記保持部が、フランジ部及び／又は溶着部の頂板部に形成された切り欠きから成ること、
２．キャップが、螺子係合により注出部に固定されるものであると共にタンパーエビデントバンドを有するものであること、
３．タンパーエビデントバンド上部とキャップのスカート部下部がストラップでつながっていること、
が好適である。
【発明の効果】
【０００９】
本発明によれば、スパウトから取り外されたキャップをスパウト本体に保持するための保持部が形成されているため、内容物注出中にキャップを手で持ったまま或いはどこかに置いたりする必要がなく、キャップを落としたり或いは紛失したりすることを有効に防止することができる。
また本発明のスパウトにおいては、キャップの保持部が、注出部のキャップの固定部よりも下方に位置するフランジ部及び／又は溶着部の頂板部の端縁に形成されているので、直接口をつけて飲むような場合にも保持されたキャップが邪魔になることがない。
更にフランジ部及び／又は溶着部の頂板部に切り欠きを形成するだけでよく、簡単な構造で成形も容易であるという利点もある。
【発明を実施するための最良の形態】
【００１０】
本発明のスパウトは、スパウト本体に、取り外されたキャップを保持し得る保持部が形成されていることが重要な特徴であり、これにより上述した作用効果を発現することが可能となる。
本発明のスパウトにおいて、スパウトから取り外されたキャップがスパウトから分離される態様においては、キャップのスカート部下端を保持部に固定することができ、一方、キャップ本体とタンパーエビデントバンドがストラップでつながれている態様においては、キャップ本体のスカート部下端を保持部に固定することもできるし、ストラップを保持部に固定することによりキャップを保持することもできる。
【００１１】
本発明のスパウトを、添付図面に基づいて説明する。
図１は、本発明のスパウトにおいて、キャップがスパウトから分離される態様の一例の側面図であり、図２は、図１に示すスパウトのスパウト本体を示すものであり、（Ａ）は上面図、（Ｂ）は側面図、（Ｃ）は底面図をそれぞれ表す。図３は、図１に示すスパウトにおいて、キャップを取り外し、該キャップを保持部に固定した状態を示す平面図であり、図４は、図３の側面図であり、図５は、図４のＸ−Ｘ線における断面図である。
【００１２】
図１及び図２に示すように、本発明のスパウトは、パウチなどの包装体４０に溶着固定されるスパウト本体１と、別途成形されたリシール用のキャップ３０を組み合わせて成るツーピースタイプのスパウトである。
スパウト本体１は、中央に開口２を有する頂板部３及び該開口２を取り囲むように頂板部下面から垂下するスカート部４から成り、スカート部４の外面において包装体４０に溶着固定される溶着部５と、開口２を取り囲むように頂板部３の上面に形成されて成る注出部６から成っている。
溶着部５には、スカート部４の外面にリブ７が形成されており、また頂板部３の長辺３ａの一方の角部付近に端縁から短辺３ｂに平行な切り欠き８ａ，８ｂが対角に２個形成されている。
【００１３】
注出部６の上部外面には、キャップ３０と螺子係合するための螺子部９が形成されており、また螺子部９の下部には、後述するキャップ３０のタンパーエビデントバンドの係合部と上下方向で係合する係合突起１０が形成されている。
また注出部６の係合突起１０よりも下方には、その外縁が溶着部５の頂板部とほぼ同じ形状のフランジ部１１が形成されている。またこのフランジ部１１にも、上述した頂板部３に形成されていた切り欠き８ａ，８ｂと同一形状の切り欠き１２ａ，１２ｂが同一の位置に形成されている。
【００１４】
キャップ３０はスパウト本体１とは別途成形されており、頂板部３１及び頂板部３１の周縁から垂下するスカート部３２から成るキャップ本体３３、及びスカート部３２の下端に弱化部３４を介してキャップ本体３３と一体的に成形されたタンパーエビデントバンド３５から成っており、頂板部内面にはインナーリング３８が形成され、スカート部内面には螺子部３７が形成されている。キャップ３０は一体成形された後、スパウト本体に組み合わされて使用される。
またタンパーエビデントバンド３５の内面には、図示されていないが、スパウト本体の注出部に形成された係合突起１０と係合する係合部が形成されている。
【００１５】
キャップ本体３３を旋回させて、キャップ本体３３とタンパーエビデントバンド３５の間の弱化部３４を破断すると、キャップ本体３３のみが注出部６から取り外され、タンパーエビデントバンド３５は係合突起１０とフランジ部１１の間で移動可能に注出部６に残されている。
図３乃至図５から明らかなように、本発明においては、頂板部３及びフランジ部１１に形成された切り欠き８ａ，１２ａから成る保持部に、キャップ本体３３のスカート部下端を差し込むことによりキャップ本体３３をスパウト本体１に保持固定することが可能となる。
【００１６】
図６乃至図８は、キャップがスパウトから分離される態様の他の一例をパウチに適用した状態を示すものであり、図６は、キャップを打栓する前の状態を示す図であり、(Ａ)は上面図、(Ｂ)は側面図であり、図７は、図６において、キャップが適用された状態を示す図であり、(Ａ)は上面図、(Ｂ)は側面図であり、図８は、図７に示すスパウトにおいてキャップを取り外し、該キャップのスカート部下端を切り欠き８ａ及び１２ａに差し込むことにより、キャップを保持部に固定した状態を示す図であり、(Ａ)は上面図、(Ｂ)は側面図である。
この態様においては、基本的な構造は図１乃至図５に示したものと同様であり、図１乃至図５に示した態様においては、スパウト本体１の注出部６に形成されたタンパーエビデントバンド３５と係合する係合突起が、タンパーエビデントバンド内面に形成された複数の係合部と周方向で係合する複数のラチェット１３である点でのみ相違するものである。
【００１７】
図９は、キャップ本体３３とタンパーエビデントバンド３５がストラップ３６でつながれている態様の一例の側面図であり、図１０は、スパウトをパウチに適用した状態において、キャップを打栓する前の状態を示す図であり、(Ａ)は上面図、(Ｂ)は側面図であり、図１１は、図１０において、キャップが打栓された状態を示す図であり、(Ａ)は上面図、(Ｂ)は側面図であり、図１２は、図１１に示すスパウトにおいてキャップを取り外し、該キャップを保持部に保持させた状態を示す図であり、(Ａ)は上面図、(Ｂ)は側面図であり、図１３は、図１１に示すスパウトにおいてキャップを取り外し、ストラップを保持部に固定した状態を示す図であり、(Ａ)は上面図、(Ｂ)は側面図である。また図１４及び図１５は、それぞれ図１２（Ａ）及び図１２（Ｂ）の一部をそれぞれ拡大して示す図であり、図１６及び図１７は、それぞれ図１３（Ａ）及び図１３（Ｂ）の一部をそれぞれ拡大して示す図である。
【００１８】
この態様においても、基本的な構造は図１乃至図５に示したものと同様であり、図１乃至図５に示した態様においては、キャップ３０が、キャップ本体３３とタンパーエビデントバンド３５が、弱化部３４の破断により完全に分離してしまうものであるのに対し、図９乃至図１７に示したキャップにおいては、キャップ本体３３とタンパーエビデントバンド３５がストラップ３６で連結されている点で相違するものである。
このストラップ３６は、一方の端部がキャップ本体スカート部３２の外面下部と連続し、他方の端部がタンパーエビデントバンド３５の外面に連続し、且つキャップ本体３３からキャップの開封方向にスカート部３２の外面に沿って周方向に延びている。
【００１９】
この態様においては、キャップ本体３３を把持し、これを旋回することにより、キャップ本体３３が上昇し、キャップ本体３３とＴＥバンド３５の間の弱化部３４が破断される。ストラップ３６は、キャップの開封方向に向かってキャップ本体側端部からタンパーエビデントバンド側端部へと延びているため、キャップ本体３３の上昇に伴い、ストラップ３６のキャップ本体側端部とタンパーエビデントバンド側端部が近接し、ストラップ３６のキャップ本体側端部は半径方向に拡がっていく。このためキャップの旋回が終わるとストラップは軸方向に延びた状態となって、キャップの容器口部からの取り外しを阻害することがなく、一方リシールの際には、キャップ本体３３の下降に伴い、ストラップ３６は閉蓋方向にスカート部３２外面に沿ってその円弧が小さくなり、キャップ本体は図１１に示した状態に再び戻ることが可能となる。
【００２０】
本発明においては、キャップ本体をスパウトから取り外した状態において、切り欠き８ａ，１２ａから成る保持部に、図１４及び図１５に示すようにキャップ本体３３のスカート部３２の下端を差し込むことにより、キャップ本体３３をスパウト本体１に保持固定するか、或いは図１６及び図１７に示すように、ストラップ３６を切り欠き８ａ，１２ａに差し込むことにより、キャップ本体３３を注出部６とは反対の方向に固定することができ、何れの場合においても、キャップ本体３３やストラップ３６が注出部の上部に位置することを有効に防止でき、キャップ本体３を内容物の注出に邪魔にならない位置に保持することが可能となる。
【００２１】
本発明のスパウトは、上述した具体例に限定されず、種々の変更が可能である。
図１乃至１７に示した具体例においては、キャップはスパウト本体と螺子係合により固定されるものであるが、キャップとスパウト注出部に形成された互いに係合する係合突起により嵌合するタイプのものであってもよい。
保持部分の形状或いは形成場所は、ストラップ又はキャップを保持し、内容物の注出を損なわない限り、図に示した具体例に限定されるものではない。例えば、図に示した具体例では、保持部を、溶着部の頂板部及びフランジ部に形成された切り欠きの両方により形成していたが、頂板部或いはフランジ部の何れか一方に形成されていてもよい。また保持部は切り欠きに限定されず、キャップ或いはストラップを保持固定し得る限り何れの形状をとることもでき、外方に突出するフックのような形状のものであってもよい。
【００２２】
本発明のスパウトにおいては、ストラップは、図１乃至図４に示した具体例のように、キャップスカート部の下部からＴＥバンドのガイド部上面まで、ほぼ水平にスカート部外面をほぼ一周するようなものの他、キャップの口径或いは高さによって、スカート部に沿って形成する円弧の長さを変えること、或いはストラップのキャップ本体側端部の位置を上下させること等を組み合わせることによってその長さや位置を変化させることができる。
【００２３】
また溶着部のスカート部の断面形状も、図に示したものに限定されず、略菱形など包装材と密着性よく接着し得る限り種々の形状を採用することができる。また溶着部のスカート部には、溶着性を向上させるためにリブ等を形成することが好適であるが、勿論形成しなくてもよい。
【００２４】
本発明のスパウトにおいて、スパウト本体は、ポリエチレン、ポリプロピレン等の熱溶着により包装材と接着可能な樹脂を用いることにより、包装材と容易に接合することができる。
またスパウトの成形は、かかる樹脂を用いて射出成形等によりスパウト本体及びキャップをそれぞれ一体成形し、これらを組み合わせることにより成形することができる。
本発明のプラスチックキャップは、ポリエチレン、ポリプロピレン等の従来プラスチックキャップに用いられていた樹脂を用いて射出成形等により一体的に成形することができる。
また本発明のスパウトは、種々の包装体に適用できるが、特に可撓性積層体から成るパウチや、バッグ状容器等に好適に使用できる。
【図面の簡単な説明】
【００２５】
【図１】本発明のスパウトにおいて、キャップがスパウトから分離される態様の一例の側面図である。
【図２】図１に示すスパウトのスパウト本体を示すものであり、（Ａ）は上面図、（Ｂ）は側面図、（Ｃ）は底面図をそれぞれ表す。
【図３】図１に示すスパウトにおいて、キャップを取り外し、該キャップを保持部に固定した状態を示す平面図である。
【図４】図３の側面図である。
【図５】図４のＸ−Ｘ線における断面図である。
【図６】キャップを打栓する前の状態を示す図であり、(Ａ)は上面図、(Ｂ)は側面図である。
【図７】図６において、キャップが適用された状態を示す図であり、(Ａ)は上面図、(Ｂ)は側面図である。
【図８】図７に示すスパウトにおいてキャップを取り外し、該キャップのスカート部下端を切り欠きに差し込むことにより、キャップを保持部に固定した状態を示す図であり、(Ａ)は上面図、(Ｂ)は側面図である。
【図９】キャップ本体とタンパーエビデントバンドがストラップでつながれている態様の一例の側面図である。
【図１０】スパウトをパウチに適した状態において、キャップを打栓する前の状態を示す図であり、(Ａ)は上面図、(Ｂ)は側面図である。
【図１１】図１０において、キャップが打栓された状態を示す図であり、(Ａ)は上面図、(Ｂ)は側面図である。
【図１２】図１１に示すスパウトにおいてキャップを取り外し、該キャップを保持部に保持させた状態を示す図であり、(Ａ)は上面図、(Ｂ)は側面図である。
【図１３】図１１に示すスパウトにおいてキャップを取り外し、ストラップを保持部に固定した状態を示す図であり、(Ａ)は上面図、(Ｂ)は側面図である。
【図１４】図１２（Ａ）の一部を拡大して示す図である。
【図１５】図１２（Ｂ）の一部を拡大して示す図である。
【図１６】図１３（Ａ）の一部を拡大して示す図である。
【図１７】図１３（Ｂ）の一部を拡大して示す図である。
【符号の説明】
【００２６】
１  スパウト本体、２  開口、３  頂板部、４  スカート部、５  溶着部、
６  注出部、  ８  切り欠き、９  螺子部、１０  係合突起、１１  フランジ部、
１２  切り欠き、  ３０  キャップ、３１  頂板部、３２  スカート部、
３３  キャップ本体、  ３４  弱化部、３５  タンパーエビデントバンド、
３６  ストラップ、４０  パウチ。
【図１】
2007204124.tif 000003
【図２】
2007204124.tif 000004
【図３】
2007204124.tif 000005
【図４】
2007204124.tif 000006
【図５】
2007204124.tif 000007
【図６】
2007204124.tif 000008
【図７】
2007204124.tif 000009
【図８】
2007204124.tif 000010
【図９】
2007204124.tif 000011
【図１０】
2007204124.tif 000012
【図１１】
2007204124.tif 000013
【図１２】
2007204124.tif 000014
【図１３】
2007204124.tif 000015
【図１４】
2007204124.tif 000016
【図１５】
2007204124.tif 000017
【図１６】
2007204124.tif 000018
【図１７】
2007204124.tif 000019